(57)【要約】【課題】改札機のＩＣ切符への対応可否状況が異なる駅を含む乗降区間であっても円滑な改札や出札を可能とする。【解決手段】ＩＣ切符読取りによる改札機能を備える出札装置５０よりＩＣ切符１０のＩＤ情報を取得する読取り処理部１１０と、ＩＤ管理情報データベース１２５に対し前記ＩＤ情報に基づく乗降駅の情報の検索を指示し前記ＩＣ切符１０に紐付いた乗降駅の情報を取得する乗降駅情報取得部１１１と、前記取得した乗降駅情報を駅情報データベース１２６に照合し前記乗降駅情報に含まれる乗降駅の少なくともいずれかがＩＣ切符非対応であった場合ＩＣ切符非対応の区間に関する非ＩＣ切符の発券指示を生成する発券指示生成部１１２と、前記発券指示を前記出札装置５０に送信し当該出札装置５０に非ＩＣ切符１５の発券を実行させる発券処理部１１３とから出札制御システム１００を構成する。【選択図】  図１
2007065771.tif 000002
【特許請求の範囲】
【請求項１】
ＩＣ切符に基づいて非ＩＣ切符を発券する出札処理の制御システムであって、
ＩＣ切符読取りによる改札機能を備える出札装置より、ＩＣ切符のＩＤ情報を取得する読取り処理部と、
ＩＣ切符のＩＤに対応付けて当該ＩＣ切符毎に設定された乗降駅の情報を格納したＩＤ管理情報データベースに対し、前記ＩＤ情報に基づく乗降駅の情報の検索を指示し、前記ＩＣ切符に紐付いた乗降駅の情報を取得する、乗降駅情報取得部と、
前記取得した乗降駅情報を、駅毎のＩＣ切符対応可否の情報を格納した駅情報データベースに照合し、前記乗降駅情報に含まれる乗降駅の少なくともいずれかがＩＣ切符非対応であった場合、ＩＣ切符非対応の区間に関する非ＩＣ切符の発券指示を生成する、発券指示生成部と、
前記発券指示を前記出札装置に送信し、当該出札装置に非ＩＣ切符の発券を実行させる、発券処理部と、
を備える出札制御システム。
【請求項２】
請求項１において、
前記発券指示生成部は、前記乗降駅情報に往復区間の経路が含まれる場合で、当該往復区間の駅にＩＣ切符非対応の駅が含まれる場合、当該往復区間におけるＩＣ切符非対応の該当区間に関する往復分の非ＩＣ切符の発券指示を生成するものであり、
前記発券処理部は、前記往復分の非ＩＣ切符の発券指示を前記出札装置に送信し、当該出札装置に往復分の非ＩＣ切符の発券を実行させるものであることを特徴とする出札制御システム。
【請求項３】
ＩＣ切符に基づいて非ＩＣ切符を発券する出札処理をコンピュータが実行する方法であって、前記コンピュータが、
ＩＣ切符読取りによる改札機能を備える出札装置より、ＩＣ切符のＩＤ情報を取得し、
ＩＣ切符のＩＤに対応付けて当該ＩＣ切符毎に設定された乗降駅の情報を格納したＩＤ管理情報データベースに対し、前記ＩＤ情報に基づく乗降駅の情報の検索を指示し、前記ＩＣ切符に紐付いた乗降駅の情報を取得し、
前記取得した乗降駅情報を、駅毎のＩＣ切符対応可否の情報を格納した駅情報データベースに照合し、前記乗降駅情報に含まれる乗降駅の少なくともいずれかがＩＣ切符非対応であった場合、ＩＣ切符非対応の区間に関する非ＩＣ切符の発券指示を生成し、
前記発券指示を前記出札装置に送信し、当該出札装置に非ＩＣ切符の発券を実行させる、ことを特徴とする出札制御方法。
【請求項４】
ＩＣ切符に基づいて非ＩＣ切符を発券する出札処理の制御方法をコンピュータに実行させるためのプログラムであって、
ＩＣ切符読取りによる改札機能を備える出札装置より、ＩＣ切符のＩＤ情報を取得するステップと、
ＩＣ切符のＩＤに対応付けて当該ＩＣ切符毎に設定された乗降駅の情報を格納したＩＤ管理情報データベースに対し、前記ＩＤ情報に基づく乗降駅の情報の検索を指示し、前記ＩＣ切符に紐付いた乗降駅の情報を取得するステップと、
前記取得した乗降駅情報を、駅毎のＩＣ切符対応可否の情報を格納した駅情報データベースに照合し、前記乗降駅情報に含まれる乗降駅の少なくともいずれかがＩＣ切符非対応であった場合、ＩＣ切符非対応の区間に関する非ＩＣ切符の発券指示を生成するステップと、
前記発券指示を前記出札装置に送信し、当該出札装置に非ＩＣ切符の発券を実行させるステップと、
を含む出札制御プログラム。
【発明の詳細な説明】
【技術分野】
【０００１】
本発明は、出札制御システム、出札制御方法、および出札制御プログラムに関する。
【背景技術】
【０００２】
自動発券装置に関する従来技術が提案されている。例えば、切符の乗車区間から、指定列車の乗車区間を判定する乗車区間判定装置、それを用いて指定列車に対する券を発券する自動発券装置、及び現在位置情報に基づいて改札を行う自動改札機を提供するとの目的の下、切符に記録された情報を読み取って指定された列車に対する乗車区間を判定する乗車区間判定装置であって、前記切符に記録された前記情報を読み取る読取部と、利用者が列車を指定する情報を入力するための入力部と、利用者に対する操作案内を表示する表示部と、前記乗車区間判定装置の動作を制御する制御部と、ファイル装置とを有し、前記ファイル装置は、前記列車毎に該列車の走行路線と該走行路線の全駅名を記憶する路線駅名ファイルと、前記列車毎に該列車の停車駅を記憶する停車駅ファイルとを有し、前記制御部は、前記路線駅名ファイル及び前記停車駅ファイルに基づいて、前記切符に記録された乗車駅及び降車駅の各々の駅が前記入力部から入力された前記列車指定情報で指定された列車の前記走行路線上の駅であるか、及び前記切符に記録された経由情報の中に前記指定列車の前記走行路線が含まれているかを判断する比較判断手段と、前記路線駅名ファイル及び前記停車駅ファイルに基づいて、前記比較判断手段の判断結果に応じて、指定された乗車区間に基づいて前記停車駅ファイル中の前記指定列車の前記停車駅の中で前記乗車区間内の乗降車駅に最も近い駅を乗降車駅とする乗車区間を前記指定列車に対する乗車区間として設定する駅置換手段とを有することを特徴とする乗車区間判定装置（特許文献１参照）などが提案されている。
【特許文献１】特開平８−１６８３５号公報
【発明の開示】
【発明が解決しようとする課題】
【０００３】
ところで、主として都市圏各駅に配置されている自動改札機はＩＣ切符対応型が多くなっている。一方で、こうした都市圏に隣接する地方や幹線鉄道以外のいわゆるローカル線などの駅においては、ＩＣ切符非対応の自動改札機しか設置されていない場合もあるし、或いは自動改札機自体が未設置である場合もある。
【０００４】
そこで利用者が、ＩＣ切符対応型の自動改札機が設置された都市圏各駅から、ＩＣ切符非対応の自動改札機しか設置されていない地方駅に至る経路について乗車する場合、都市圏各駅で使用できるＩＣ切符で乗車駅に入場出来たとしても、そのままそのＩＣ切符を用いて降車駅で出場は出来ないという状況が生じている。こうした場合、この利用者は有人改札路等で駅係員にＩＣ切符を手交し、このＩＣ切符による出場処理を前記駅係員に行ってもらう必要が生じる。つまり、ＩＣ切符対応可能な駅とＩＣ切符対応不可の駅との間で、利用者はスムーズな入出場が困難になっている状況がある。
【０００５】
そこで本発明は上記課題を鑑みてなされたものであり、改札機のＩＣ切符への対応可否状況が異なる駅を含む乗降区間であっても円滑な改札や出札を可能とする、出札制御システム、出札制御方法、および出札制御プログラムを提供することを主たる目的とする。
【課題を解決するための手段】
【０００６】
上記課題を解決する本発明の出札制御システムは、ＩＣ切符に基づいて非ＩＣ切符を発券する出札処理の制御システムであって、ＩＣ切符読取りによる改札機能を備える出札装置より、ＩＣ切符のＩＤ情報を取得する読取り処理部と、ＩＣ切符のＩＤに対応付けて当該ＩＣ切符毎に設定された乗降駅の情報を格納したＩＤ管理情報データベースに対し、前記ＩＤ情報に基づく乗降駅の情報の検索を指示し、前記ＩＣ切符に紐付いた乗降駅の情報を取得する、乗降駅情報取得部と、前記取得した乗降駅情報を、駅毎のＩＣ切符対応可否の情報を格納した駅情報データベースに照合し、前記乗降駅情報に含まれる乗降駅の少なくともいずれかがＩＣ切符非対応であった場合、ＩＣ切符非対応の区間に関する非ＩＣ切符の発券指示を生成する、発券指示生成部と、前記発券指示を前記出札装置に送信し、当該出札装置に非ＩＣ切符の発券を実行させる、発券処理部と、を備える。
【０００７】
また、本発明の出札制御システムにおいて、前記発券指示生成部は、前記乗降駅情報に往復区間の経路が含まれる場合で、当該往復区間の駅にＩＣ切符非対応の駅が含まれる場合、当該往復区間におけるＩＣ切符非対応の該当区間に関する往復分の非ＩＣ切符の発券指示を生成するものであり、前記発券処理部は、前記往復分の非ＩＣ切符の発券指示を前記出札装置に送信し、当該出札装置に往復分の非ＩＣ切符の発券を実行させるものであるとすれば好適である。
【０００８】
また、本発明の出札制御方法は、ＩＣ切符に基づいて非ＩＣ切符を発券する出札処理をコンピュータが実行する方法であって、前記コンピュータが、ＩＣ切符読取りによる改札機能を備える出札装置より、ＩＣ切符のＩＤ情報を取得し、ＩＣ切符のＩＤに対応付けて当該ＩＣ切符毎に設定された乗降駅の情報を格納したＩＤ管理情報データベースに対し、前記ＩＤ情報に基づく乗降駅の情報の検索を指示し、前記ＩＣ切符に紐付いた乗降駅の情報を取得し、前記取得した乗降駅情報を、駅毎のＩＣ切符対応可否の情報を格納した駅情報データベースに照合し、前記乗降駅情報に含まれる乗降駅の少なくともいずれかがＩＣ切符非対応であった場合、ＩＣ切符非対応の区間に関する非ＩＣ切符の発券指示を生成し、前記発券指示を前記出札装置に送信し、当該出札装置に非ＩＣ切符の発券を実行させる、ことを特徴とする。
【０００９】
また、本発明の出札制御プログラムは、ＩＣ切符に基づいて非ＩＣ切符を発券する出札処理の制御方法をコンピュータに実行させるためのプログラムであって、ＩＣ切符読取りによる改札機能を備える出札装置より、ＩＣ切符のＩＤ情報を取得するステップと、ＩＣ切符のＩＤに対応付けて当該ＩＣ切符毎に設定された乗降駅の情報を格納したＩＤ管理情報データベースに対し、前記ＩＤ情報に基づく乗降駅の情報の検索を指示し、前記ＩＣ切符に紐付いた乗降駅の情報を取得するステップと、前記取得した乗降駅情報を、駅毎のＩＣ切符対応可否の情報を格納した駅情報データベースに照合し、前記乗降駅情報に含まれる乗降駅の少なくともいずれかがＩＣ切符非対応であった場合、ＩＣ切符非対応の区間に関する非ＩＣ切符の発券指示を生成するステップと、前記発券指示を前記出札装置に送信し、当該出札装置に非ＩＣ切符の発券を実行させるステップと、を含む。
【００１０】
その他、本願が開示する課題、及びその解決方法は、発明の実施の形態の欄、及び図面により明らかにされる。
【発明の効果】
【００１１】
本発明によれば、改札機のＩＣ切符への対応可否状況が異なる駅を含む乗降区間であっても円滑な改札や出札が可能となる。
【発明を実施するための最良の形態】
【００１２】
−−−システム構成−−−
以下に本発明の実施形態について図面を用いて詳細に説明する。  
図１は本実施形態の出札制御システムを含むネットワーク構成図である。本発明の出札制御システム１００（以下、システム１００）は、ＩＣ切符１０に基づいて非磁気化券などの非ＩＣ切符１５を発券する出札処理の制御を行うシステムである。本実施形態におけるシステム１００は、一例として、ＩＣ切符１０の読取りによる改札機能を備える出札装置５０と一体である場合を想定する。勿論、この出札装置５０とはネットワークで結ばれた別体の装置をシステム１００として想定するとしてもよい。以下、本実施形態で説明するシステム１００に関する記述は、上記出札装置５０が実行するものとして示す。また、「改札機能を有する出札装置」という意味合いで、前記出札装置５０を以後の説明では改札型出札機と称する。
【００１３】
このようなシステム１００は、本発明の出札制御方法を実行する機能を実現すべく、書き換え可能メモリなどのプログラムデータベース１０１に格納されたプログラム１０２をメモリ１０３に読み出し、演算装置たるＣＰＵ１０４により実行する。
【００１４】
また、前記システム１００は、前記改札機能を備えた出札装置たる改札型出札機５０として、各種ボタン類、ディスプレイなどの入出力インターフェイス１０５ならびに、外部装置との間のデータ授受を担う通信手段１０６などを有している。
【００１５】
前記システム１００は、前記通信手段１０６により、外部装置らと例えばインターネットやＬＡＮ、シリアル・インターフェース通信線などのネットワーク１４０を介して接続し、データ授受を実行する。システム１００の各種機能部と通信手段１０６との間ではＩ／Ｏ部１０７がデータのバッファリングや各種仲介処理を実行している。
【００１６】
また、本実施形態では前記システム１００と一体と想定している改札型出札機５０は、従来のＩＣ切符対応型の自動改札機が備える一般的機能を備えている。その機能とは、例えば、駅ホームへの入出場ゲート（改札型出札機５０の端部付近にあたる）にて利用者が携行しかざしてきたＩＣ切符に対して、当該ＩＣ切符が備えるＩＣチップ（例：ＲＦＩＤ）に向けた読取り動作を実行するリーダ機能がある。また他に、ＩＣ切符読取りにより得たチップＩＤをネガデータ（使用不可のＩＣ切符群の情報）や各ＩＣ切符毎の乗降可能区間の情報（駅サーバ２５０が備えてもよい）と照合して該当利用者の入出場可否を判定する機能や、その入出場可否の判定結果に応じて前記入出場ゲートの開閉動作を制御する機能、入出場可否などの各種情報を入退場ゲート付近で利用者に示す表示機能もある。
【００１７】
また、前記改札型出札機５０は、こうした一般の自動改札機が備える機能に加えて、本発明のシステム１００が備える機能、ならびに、磁気化券１５などの非ＩＣ切符を発券し、前記入出場ゲート付近にて当該非ＩＣ切符を排出する機能も備える。そのため、磁気化券１５となる磁気記録可能な紙材等を巻回したロール機構や、当該ロール機構の回転を制御して適宜な紙材領域に磁気記録を行う磁気記録装置、磁気記録が完了した紙材を所定幅でカットして搬送し、利用者が磁気化券１５を受け取る排出口まで排出する搬送装置などを有している。
【００１８】
また、前記利用者が新規にＩＣ切符を購入する場合に対応すべく、各駅にはＩＣ切符発券機４００が備わっていることが想定できる。このＩＣ切符発券機４００は、通常のコンピュータが備える機能として、ＩＣ切符の発券処理を実行する機能を実現すべく、書き換え可能メモリなどのプログラムデータベース４０１に格納されたプログラム４０２をメモリ４０３に読み出し、演算装置たるＣＰＵ４０４により実行する。
【００１９】
また、前記ＩＣ切符発券機４００は、利用者からの入力処理を受け付けたり、処理結果を利用者に示すための各種ボタン類、ディスプレイなどの入出力インターフェイス４０５ならびに、外部装置との間のデータ授受を担う通信手段４０６などを有している。
【００２０】
前記ＩＣ切符発券機４００は、前記通信手段４０６により、外部装置らと例えばインターネットやＬＡＮ、シリアル・インターフェース通信線などのネットワーク１４０を介して接続し、データ授受を実行する。ＩＣ切符発券機４００の各種機能部と通信手段４０６との間ではＩ／Ｏ部４０７がデータのバッファリングや各種仲介処理を実行している。
【００２１】
また、ＩＣ切符発券機４００は、従来のＩＣ切符発券機が備える一般的機能を備えている。その機能とは、例えば、利用者が携行しかざしてきたＩＣ切符１０に対して、当該ＩＣ切符１０が備えるＩＣチップ（例：ＲＦＩＤ）に向けた読取り動作を実行するリーダ機能４１０がある。また他に、ＩＣ切符１０を発券し当該ＩＣ切符１０を排出する機能４１１も備える。また、ＩＣ切符１０が備えるＩＣチップのＩＤを中央管理センタ２００に送信し、購入切符の内容（乗車区間等）との紐付け処理を担う機能４１２などを有している。
【００２２】
続いて、前記システム１００が、例えばプログラム１０２に基づき構成・保持する機能部につき説明を行う。上述したように、ここで述べるシステム１００の機能部は、前記改札型出札機５０が備えるものと想定できる。従って、システム１００と改札型出札機５０との間でのデータ授受処理に関する説明は、全てシステム１００の内部または改札型出札機５０の内部でのデータ処理として想定する。
【００２３】
こうした前記システム１００は、ＩＣ切符１０の読取りによる改札機能を備える出札装置たる改札型出札機５０より、ＩＣ切符１０のＩＤ情報を取得する読取り処理部１１０を備える。
【００２４】
また、前記システム１００は、ＩＣ切符１０のＩＤに対応付けて当該ＩＣ切符毎に設定された乗降駅の情報を格納したＩＤ管理情報データベース１２５に対し、前記ＩＤ情報に基づく乗降駅の情報の検索を指示し、前記ＩＣ切符１０に紐付いた乗降駅の情報を取得する、乗降駅情報取得部１１１を備える。
【００２５】
また、前記システム１００は、前記取得した乗降駅情報を、駅毎のＩＣ切符対応可否の情報を格納した駅情報データベース１２６に照合し、前記乗降駅情報に含まれる乗降駅の少なくともいずれかがＩＣ切符非対応であった場合、ＩＣ切符非対応の区間に関する非ＩＣ切符１５の発券指示を生成する、発券指示生成部１１２を備える。
【００２６】
また、前記システム１００は、前記発券指示を前記改札型出札機５０に送信し、当該改札型出札機５０に非ＩＣ切符１５の発券を実行させる、発券処理部１１３を備える。
【００２７】
また、前記発券指示生成部１１２は、前記乗降駅情報に往復区間の経路が含まれる場合で、当該往復区間の駅にＩＣ切符非対応の駅が含まれる場合、当該往復区間におけるＩＣ切符非対応の該当区間に関する往復分の非ＩＣ切符１５の発券指示を生成するものであるとすれば好適である。この場合、前記発券処理部１１３は、前記往復分の非ＩＣ切符１５の発券指示を前記改札型出札機５０に送信し、当該改札型出札機５０に往復分の非ＩＣ切符１５の発券を実行させるものとなる。
【００２８】
なお、前記ＩＣ切符１０は、無線ＩＣチップやアンテナが埋め込まれたカード型の切符や、無線ＩＣチップやアンテナを備える携帯電話機などの携帯端末３００を想定することができる。いずれの場合でも、従来から存在する無線ＩＣチップを利用した切符や携帯端末３００と同様の機能を備えるものとする。
【００２９】
また、これまで示した前記システム１００における各機能部１１０〜１１３は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現するとしてもよい。この場合、前記システム１００のＣＰＵ１０４が、プログラム実行に合わせて記憶装置より該当プログラム１０２をメモリ１０３に読み出して、これを実行することとなる。
【００３０】
また、前記ネットワーク１４０に関しては、インターネット、ＬＡＮの他、ＡＴＭ回線や専用回線、ＷＡＮ（Ｗｉｄｅ  Ａｒｅａ  Ｎｅｔｗｏｒｋ）、電灯線ネットワーク、無線ネットワーク、公衆回線網、携帯電話網、シリアル・インターフェース通信線など様々なネットワークを採用することも出来る。また、ＶＰＮ（Ｖｉｒｔｕａｌ  Ｐｒｉｖａｔｅ  Ｎｅｔｗｏｒｋ）など仮想専用ネットワーク技術を用いれば、インターネットを採用した際にセキュリティ性を高めた通信が確立され好適である。なお、前記シリアル・インターフェイスは、単一の信号線を用いて１ビットずつ順次データを送るシリアル伝送で、外部機器と接続するためのインターフェースを指し、通信方式としてはＲＳ−２３２Ｃ、ＲＳ−４２２、ＩｒＤＡ、ＵＳＢ、ＩＥＥＥ１３９４、ファイバ・チャネルなどが想定できる。
【００３１】
−−−データベース構造−−−
次に、本実施形態の出札制御システム１００が利用するＩＤ管理情報データベース１２５、および駅情報データベース１２６の各構造について説明する。図２は、本実施形態におけるデータベースのデータ構造を示す図である。
【００３２】
前記ＩＤ管理情報データベース１２５は、各駅の駅サーバ２５０が備える場合、ＩＣ切符の中央管理センタ２００（各駅を統括するセンタ）が備える場合、およびシステム１００こと改札型出札機５０が備える場合のいずれかを想定できる。またこのＩＤ管理情報データベース１２５は、ＩＣ切符１０のＩＤに対応付けて当該ＩＣ切符毎に設定された乗降駅の情報を格納するデータベースとなる。
【００３３】
ここでこのＩＤ管理情報データベース１２５に情報が格納される経緯について概説しておく。例えば、ある利用者が所定区間の電車を利用したいとする。この場合、前記利用者は所定駅でＩＣ切符の新規購入ないし既に所持していたＩＣ切符への購入情報の紐付け処理を行うこととなる。勿論、ここで言うＩＣ切符１０にはＩＣチップを備えた前記携帯端末３００等を想定しても良い。
【００３４】
この時、ＩＣ切符のＩＣチップに格納されているＩＤ（チップＩＤなど）が、駅のＩＣ切符発券機４００（図１）や、携帯端末３００等でアクセスする鉄道会社の券売用ホームページ等からＩＣ切符の中央管理センタ２００等へ送られ、この利用者の購入区間＝乗車区間の情報が当該中央管理センタ２００等で前記ＩＤに紐付けされる。このようなＩＤと当該ＩＤに紐付けされた情報とは、前記中央管理センタ２００等から、各駅の駅サーバ２５０そしてＩＤ管理情報データベースへと適宜タイミングで定期的に配信される。こうして前記ＩＤ管理情報データベース１２５は生成される。
【００３５】
このＩＤ管理情報データベース１２５は、例えば前記ＩＣ切符１０のＩＤをキーとして、購入日時、乗車日、乗車駅、降車駅、列車名、設備といった情報を関連づけたレコードの集合体となっている。
【００３６】
また他にも、システム１００は、駅情報データベース１２６を利用可能となっている。この駅情報データベース１２６は、駅毎のＩＣ切符対応可否の情報を格納したデータベースである。従って、例えば駅ＩＤをキーとして、ＩＣ切符対応可否の情報を紐付けたレコードの集合体となっている。この駅情報データベース１２６も、システム１００が備えていてもよいし、駅サーバ２５０あるいは中央管理センタ２００が備えるとしてもよい。
【００３７】
−−−改札型出札機の配置例−−−
図３は、本実施形態における改札型出札機５０の配置例を示す図である。本実施形態における改札型出札機５０は、例えば、図示するように、ＩＣ切符対応区間：Ｔ駅〜Ｎ駅、とＩＣ切符非対応区間：Ｎ駅〜Ｙ駅との境界にあたる駅（この例の場合、Ｎ駅）に設置する例を想定できる。例えばある利用者が「Ｔ駅〜Ｙ駅」間の切符を携帯端末３００にて事前購入していたとする。この購入した切符の情報は、上述したように携帯端末３００でアクセスした鉄道会社のサイトから中央管理センタ２００へとアップロードされ、携帯端末３００の備えるＩＣチップのＩＤと紐付けされ管理される。またこの切符の購入内容の情報は、前記ＩＤ管理情報データベース１２５（この場合、少なくともＮ駅が備えるもの）に中央管理センタ２００から配信されている。
【００３８】
前記利用者は、前記携帯端末３００をＴ駅のＩＣ切符対応の自動改札機５１にかざし入場する。そして購入内容に対応した電車に乗車して、Ｎ駅まで到着したとする。Ｎ駅のホームから本発明の改札型出札機５０に移動した前記利用者は、ここで前記携帯端末３００を前記改札型出札機５０にかざす。改札型出札機５０では、この携帯端末３００のＩＣチップに対する読取りを実行し、本発明の出札制御方法に従って前記Ｙ駅までの磁気化券１５の発券必要性を認識する。そして改札型出札機５０は、Ｎ駅からＹ駅の区間について磁気化券１５を発券し、入出場ゲートを開き、Ｙ駅行き電車のホームに続く経路を利用者に開放する。利用者は入出場ゲートを通過しつつ前記磁気化券１５を受領し、つまり、従来の自動改札機を通過すると同様の要領で乗り継ぎをスムーズに行うことができる。
【００３９】
或いは上記配置例とは異なり、ＩＣ切符対応駅である前記Ｔ駅ないし、当該Ｔ駅からＮ駅のＩＣ切符対応区間の任意の駅に前記改札型出札機５０を配置するという状況も想定できる。例えばＴ駅つまり前記利用者の入場駅に改札型出札機５０が設置される場合、Ｔ駅内への利用者の入場時に前記Ｎ駅からＹ駅までの間の磁気化券１５を改札型出札機５０が発券するとしてもよい。或いは、Ｔ駅からＮ駅までの区間で電車に乗車中の利用者が、電車内の車掌等が備える端末（改札型出札機５０の機能を備えるもの）に前記ＩＣ切符１０をかざし、前記磁気化券１５の発券を受けるとしても良い。
【００４０】
磁気化券１５を受領した前記利用者は、ＩＣ切符非対応の区間に属するＹ駅に到着した際、ＩＣ切符非対応自動改札機５５に前記磁気化券１５を挿入して出場することとなる。
【００４１】
−−−入場時処理例−−−
以下、本実施形態における入場時処理の実際手順例について、図に基づき説明する。なお、以下で説明する入場時処理に対応する各種動作は、前記ＩＣ切符１０、および既存の自動改札機５１（図３）、および駅サーバ２５０らがそれぞれ、適宜なメモリに読み出して実行するプログラムによって実現される。そして、こうしたプログラムは、以下に説明される各種の動作を行うためのコードからそれぞれ構成されている。
【００４２】
図４は、本実施形態の入場時処理の実際手順例を示すフロー図である。利用者が図３で先に示したように、Ｔ駅で電車に乗車するため、ＩＣ切符１０または携帯端末３００を携行して、既存の自動改札機５１に接近したとする（ｓ４００）。この時、Ｔ駅の自動改札機５１は、前記ＩＣ切符１０に対する読取り動作を実行する（ｓ４０１）。具体的には、前記自動改札機５１のＩＣリーダが読み取り電波を発信し、一方、前記ＩＣ切符１０はこの電波をアンテナで受信して発電し、自身のメモリに記録されているチップＩＤを返信する（ｓ４０２）。
【００４３】
前記自動改札機５１のＩＣリーダは前記チップＩＤを受信し（ｓ４０３）、既に駅サーバ２５０などからダウンロードしているネガデータ（使用不可となっている切符のリスト）と照合する（ｓ４０４）。ここでの照合により、前記ＩＣ切符１０が“使用可”でなかった場合（ｓ４０５：ＮＯ）、自動改札機５１のゲートを閉じる動作を実行すると共に、ランプやスピーカ等の出力インターフェイスに切符が使用不可である、つまり入場できない旨の情報を出力し（ｓ４０６）、処理を終了する。
【００４４】
他方、前記ステップｓ４０５において、前記ＩＣ切符１０が“使用可”であった場合（ｓ４０５：ＹＥＳ）、自動改札機５１のゲートを開く動作を実行すると共に（ｓ４０７）、該当ＩＣ切符１０のＩＤをＴ駅の駅サーバ２５０に送信する（ｓ４０８）。なお、ＩＤ管理情報データベース１２５を自動改札機５１自身で管理している場合、このステップｓ４０８は、ＩＤ情報の送信先をＩＤ管理情報データベース１２５とする。
【００４５】
一方、前記駅サーバ２５０ないしＩＤ管理情報データベース１２５は、前記ＩＤの情報を受信し（ｓ４０９）、該当ＩＣ切符１０のレコードについて、そのステータスを適宜更新する（ｓ４１０）。更新内容としては、例えば、“Ｔ駅”で入場がなされた情報、などがあげられる。また、駅サーバ２５０ないしＩＤ管理情報データベース１２５は、該当ＩＣ切符１０のレコードに関するステータス更新を行う一方で、前記中央管理センタ２００に対し、前記ＩＣ切符１０に関する同様のステータス更新の通知を実行する（ｓ４１１）。中央管理センタ２００では、駅サーバ２５０ないしＩＤ管理情報データベース１２５からのこの通知を受けて、該当ＩＣ切符１０に関して保持していた情報の更新を実行する。
【００４６】
−−−改札型出札機での処理例−−−
以下、本実施形態における出札制御方法の手順例について、図に基づき説明する。なお、以下で説明する処理手順に対応する各種動作は、前記システム１００たる改札型出札機５０が、メモリ１０３に読み出して実行するプログラム１０２によって実現される。そして、こうしたプログラム１０２は、以下に説明される各種の動作を行うためのコードから構成されている。
【００４７】
図５は、本実施形態の出札制御方法の実際手順例を示すフロー図である。上述したように“Ｔ駅”で電車に乗車した前記利用者は、そのまま電車に乗って途中乗換駅の“Ｎ駅”まで到着したとする。このＮ駅は、ＩＣ切符非対応の路線とつながるターミナル駅であり、本発明の改札型出札機５０が図３で示したような配置で設置されている。前記電車を降車した利用者は、乗り換え経路に向かって歩を進め、改札型出札機５０に接近する（ｓ５００）。
【００４８】
ここでＮ駅の改札型出札機５０は、前記利用者がかざしたＩＣ切符１０に対する読取り動作を実行する（ｓ５０１）。具体的には、前記改札型出札機５０のＩＣリーダが読み取り電波を発信し、一方、前記ＩＣ切符１０はこの電波をアンテナで受信して発電し、自身のメモリに記録されているチップＩＤを返信する（ｓ５０２）。
【００４９】
前記改札型出札機５０のＩＣリーダは前記チップＩＤを受信し（ｓ５０３）、既にＮ駅の駅サーバ２５０などからダウンロードしているネガデータ（使用不可となっている切符のリスト）と照合する（ｓ５０４）。ここでの照合により、前記ＩＣ切符１０が“使用可”でなかった場合（ｓ５０５：ＮＯ）、改札型出札機５０のゲートを閉じる動作を実行すると共に、ランプやスピーカ等の出力インターフェイスに切符が使用不可である、つまり入場できない旨の情報を出力し（ｓ５０６）、処理を終了する。
【００５０】
他方、前記ステップｓ５０５において、前記ＩＣ切符１０が“使用可”であった場合（ｓ５０５：ＹＥＳ）、改札型出札機５０は、前記ＩＤの情報を前記駅サーバ２５０ないしＩＤ管理情報データベース１２５に送信する（ｓ５０７）。駅サーバ２５０ないしＩＤ管理情報データベース１２５ではこれを受信し（ｓ５０８）、ＩＤ管理情報データベース１２５における該当レコードの検索実行と、それによる前記ＩＣ切符１０に紐付いた乗降駅情報を抽出する（ｓ５０９）。この乗降駅情報は駅サーバ２５０ないしＩＤ管理情報データベース１２５から、前記改札型出札機５０に返信される（ｓ５１０）。
【００５１】
改札型出札機５０はこの乗降駅情報を受信し（ｓ５１１）、自駅つまりＮ駅より先までの乗車が予定されている切符であるか判定する（ｓ５１２）。ここで自駅より先までの乗車が予定されている切符ではない、つまりここＮ駅までの切符であることが判明すれば（ｓ５１２：ＮＯ）、ゲートは閉じた状態とし、通常の出口に設置された自動改札機５１に向けて誘導情報を出力する（ｓ５０６）。
【００５２】
他方、自駅より先までの乗車が予定されている切符であったと判明すれば（ｓ５１２：ＮＯ）、改札型出札機５０は、当該ＩＣ切符１０の最終目的地の駅（ここではＹ駅）がＩＣ切符対応済みか否かを判定する（ｓ５１４）。ここでの改札型出札機５０の処理は、前記乗降駅情報を、駅毎のＩＣ切符対応可否の情報を格納した前記駅情報データベース１２６に照合し、前記乗降駅情報に含まれる乗降駅の少なくともいずれかがＩＣ切符非対応であるか判定することとなる。
【００５３】
ここで最終目的地の駅たるＹ駅が、ＩＣ切符対応済みの駅であった場合（ｓ５１４：ＹＥＳ）、ゲートを開き、利用者の乗り継ぎをそのまま認め、処理をステップｓ５１８に進める。他方、最終目的地の駅たるＹ駅が、ＩＣ切符非対応の駅であった場合（ｓ５１４：ＮＯ）、ＩＣ切符非対応の区間に関する磁気化券１５（非ＩＣ切符）の発券指示を生成する。この発券指示の情報は、この場合、前記Ｎ駅からＹ駅までの乗車に必要となる磁気化券１５の券面印字情報や磁気記録情報（いずれも行き先、運賃など）となる。
【００５４】
前記改札型出札機５０は、この発券指示の情報に基づき、自身が備える磁気化券１５の発券機構等に磁気化券１５の発券指示を伝達し、磁気化券１５の発券、排出を実行する（ｓ５１７）。磁気化券１５の発券、排出に際しては、前記利用者がこの磁気化券１５を受領しつつ、改札型出札機５０のゲートをスムーズに通過可能である必要があるから、ゲートを開く動作を実行すると共に（ｓ５１７）、該当ＩＣ切符１０のＩＤをＮ駅の駅サーバ２５０に送信する（ｓ５１８）。なお、ＩＤ管理情報データベース１２５を改札型出札機５０自身で管理している場合、このステップｓ５１８は、ＩＤ情報の送信先をＩＤ管理情報データベース１２５とする。
【００５５】
一方、前記駅サーバ２５０ないしＩＤ管理情報データベース１２５は、前記ＩＤの情報を受信し（ｓ５１９）、該当ＩＣ切符１０のレコードについて、そのステータスを適宜更新する（ｓ５２０）。更新内容としては、例えば、“Ｎ駅”で乗り継ぎがなされた情報、などがあげられる。また、駅サーバ２５０ないしＩＤ管理情報データベース１２５は、該当ＩＣ切符１０のレコードに関するステータス更新を行う一方で、前記中央管理センタ２００に対し、前記ＩＣ切符１０に関する同様のステータス更新の通知を実行する（ｓ５２１）。中央管理センタ２００では、駅サーバ２５０ないしＩＤ管理情報データベース１２５からのこの通知を受けて、該当ＩＣ切符１０に関して保持していた情報の更新を実行する。
【００５６】
なお、前記乗降駅情報に往復区間の経路が含まれ、なおかつ、当該往復区間の駅にＩＣ切符非対応の駅が含まれる場合が想定できる。上記実施例で言えば、Ｔ駅〜Ｙ駅間の往復切符を利用者が購入していた場合がそれにあたる。つまり、ＩＣ切符対応地域とＩＣ切符非対応地域との境界にあってＩＣ切符対応が可能な駅である前記Ｎ駅から、ＩＣ切符非対応のＹ駅までの間の往復区間の切符を、利用者がＴ駅からＮ駅までの移動中、遅くともＮ駅の改札型出札機５０で発券する処理を行う必要ある。
【００５７】
このような状況で前記改札型出札機５０は、前記往復区間におけるＩＣ切符非対応の該当区間：Ｎ駅〜Ｙ駅間、に関する往復分の磁気化券１５（非ＩＣ切符）の発券指示を、上記発券指示と同様に生成する。勿論、この往復分の発券指示に基づき、自身が備える磁気化券１５の発券機構等に往復分の磁気化券１５の発券指示を伝達し、往復分の磁気化券１５の発券、排出を実行する。また、当該往復分の磁気化券１５の発券、排出に際しては、前記利用者がこれを受領しつつ、改札型出札機５０のゲートをスムーズに通過可能である必要があるから、ゲートを開く動作を実行すると共に、該当ＩＣ切符１０のＩＤをＮ駅の駅サーバ２５０に送信する。なお、ＩＤ管理情報データベース１２５を改札型出札機５０自身で管理している場合、この処理において、ＩＤ情報の送信先をＩＤ管理情報データベース１２５とする。こうして、前記利用者は、Ｔ駅からＮ駅の間で遅くともＮ駅の改札型出札機５０において、ＩＣ切符非対応の区間に関する往復分の磁気化券１５を予め取得しておくことができる。
【００５８】
−−−発券処理例−−−
以下、本実施形態の出札制御方法における発券処理手順例について、図に基づき説明する。なお、以下で説明する発券処理手順に対応する各種動作は、前記システム１００たる改札型出札機５０が、メモリ１０３に読み出して実行するプログラム１０２によって実現される。そして、こうしたプログラム１０２は、以下に説明される各種の動作を行うためのコードから構成されている。
【００５９】
図６は、本実施形態の発券処理手順例を示すフロー図である。上記図５のフローに基づく説明において示した磁気化券１５の発券処理詳細を以下に述べる。前記改札型出札機５０は、磁気化券１５などの非ＩＣ切符を発券しゲート付近にて当該非ＩＣ切符を排出する機能も備えている。ここでは、改札型出札機５０が備える発券機構が処理を行うものとした説明をする。この発券機構は、改札型出札機５０より前記発券指示の情報を受信し（ｓ６００）、磁気化券１５となる磁気記録可能な紙材等を巻回したロール機構等に対し、券片の繰り出し指示を行う（ｓ６０１）。また、前記ロール機構の回転により未使用部分の紙材が繰り出されるから、これの所定領域に対し、行き先や運賃などの所定情報の券面印字処理（ｓ６０２）や、磁化処理による磁気記録を行う（ｓ６０３）。こうした券面印字や磁気記録が完了した紙材は、所定幅でカットして搬送し、利用者が磁気化券１５を受け取る排出口まで排出する（ｓ６０４）。
【００６０】
−−−ＩＣ切符非対応自動改札機での処理例−−−
なお、以下で説明する出場時処理に対応する各種動作は、前記既存のＩＣ切符非対応自動改札機５５（図３）および駅サーバ２５０らがそれぞれ、適宜なメモリに読み出して実行するプログラムによって実現される。そして、こうしたプログラムは、以下に説明される各種の動作を行うためのコードからそれぞれ構成されている。
【００６１】
図７は、本実施形態の出場時処理の実際手順例を示すフロー図である。利用者が図３で先に示したように、Ｔ駅で電車に乗車し、Ｎ駅で乗り継ぎを行い、ついには目的地であるＹ駅に到着したとする。そして、Ｙ駅に設置されているＩＣ切符非対応の自動改札機５５に、磁気化券１５を携行して挿入したとする（ｓ７００）。この時、Ｙ駅の自動改札機５５は、前記磁気化券１５を取り込んで（ｓ７０１）、磁気情報の取得を実行する（ｓ７０２）。
【００６２】
前記自動改札機５５は前記磁気情報に含まれている降車駅の情報等を、自動改札機５５が保持するＹ駅の情報と照合する（ｓ７０３）。ここでの照合により、前記磁気化券１５がＹ駅での出場が不可である切符であった場合（ｓ７０４：ＮＯ）、自動改札機５５のゲートを閉じる動作を実行すると共に、ランプやスピーカ等の出力インターフェイスに切符が使用不可である、つまりＹ駅で出場できない旨の情報を出力し（ｓ７０５）、処理を終了する。
【００６３】
他方、前記ステップｓ７０４において、前記磁気化券１５がＹ駅で出場可能な切符であった場合（ｓ７０４：ＹＥＳ）、自動改札機５５のゲートを開く動作を実行すると共に（ｓ７０６）、磁気化券１５の磁気情報に含まれていた、前記ＩＣ切符１０のＩＤをＹ駅の駅サーバ２５０に送信する（ｓ７０７）。なお、ＩＤ管理情報データベース１２５を自動改札機５５自身で管理している場合、このステップｓ７０７は、ＩＤ情報の送信先をＩＤ管理情報データベース１２５とする。
【００６４】
一方、前記駅サーバ２５０ないしＩＤ管理情報データベース１２５は、前記ＩＤの情報を受信し（ｓ７０８）、前記磁気化券１５に対応するＩＣ切符１０のレコードについて、そのステータスを適宜更新する（ｓ７０９）。更新内容としては、例えば、“Ｙ駅”で出場がなされた情報、などがあげられる。また、駅サーバ２５０ないしＩＤ管理情報データベース１２５は、該当ＩＣ切符１０のレコードに関するステータス更新を行う一方で、前記中央管理センタ２００に対し、前記ＩＣ切符１０に関する同様のステータス更新の通知を実行する（ｓ７１０）。中央管理センタ２００では、駅サーバ２５０ないしＩＤ管理情報データベース１２５からのこの通知を受けて、該当ＩＣ切符１０に関して保持していた情報の更新を実行する。
【００６５】
したがって本発明によれば、改札機のＩＣ切符への対応可否状況が異なる駅を含む乗降区間であっても円滑な改札や出札が可能となる。
【００６６】
以上、本発明の実施の形態について、その実施の形態に基づき具体的に説明したが、これに限定されるものではなく、その要旨を逸脱しない範囲で種々変更可能である。
【図面の簡単な説明】
【００６７】
【図１】本実施形態の出札制御システムを含むネットワーク構成図である。
【図２】本実施形態におけるデータベースのデータ構造を示す図である。
【図３】本実施形態における改札型出札機（出札装置）の配置例を示す図である。
【図４】本実施形態の入場時処理の実際手順例を示すフロー図である。
【図５】本実施形態の出札制御方法の実際手順例を示すフロー図である。
【図６】本実施形態の発券処理手順例を示すフロー図である。
【図７】本実施形態の出場時処理の実際手順例を示すフロー図である。
【符号の説明】
【００６８】
１０  ＩＣ切符
１５  非ＩＣ切符、磁気化券
５０  出札装置、改札型出札機
５１  ＩＣ切符対応自動改札機
５５  ＩＣ切符非対応自動改札機
１００  出札制御システム、システム
１０１  プログラムデータベース
１０２  プログラム
１０３  メモリ
１０４  ＣＰＵ
１０５  入出力インターフェイス
１０６  通信手段
１０７  Ｉ／Ｏ部
１１０  読取り処理部
１１１  乗降駅情報取得部
１１２  発券指示生成部
１１３  発券処理部
１２５  ＩＤ管理情報データベース
１２６  駅情報データベース
１４０  ネットワーク
２００  中央管理センタ
２５０  駅サーバ
３００  携帯端末
４００  ＩＣ切符発券端末
【図２】
2007065771.tif 000003
【図４】
2007065771.tif 000004
【図５】
2007065771.tif 000005
【図６】
2007065771.tif 000006
【図７】
2007065771.tif 000007
【図１】
2007065771.tif 000008
【図３】
2007065771.tif 000009